(57)【要約】【課題】ユーザにとって使い勝手の良い測定装置を提供する。【解決手段】測定装置１は、測定チャネル毎に設定される測定パラメータの設定値に基づいて測定を行うものであり、測定チャネルの複数にまたがって一括設定可能な測定パラメータのグループをグルーピング対象候補として一つの測定チャネルの設定画面上で識別表示する表示制御手段６ａと、識別表示された測定パラメータの選択操作によりグルーピング対象に設定またはグルーピング対象から解除するグルーピング制御手段６ｂとを備える。【選択図】図１
2018117177.tif 000002
【特許請求の範囲】
【請求項１】
測定チャネル毎に設定される測定パラメータの設定値に基づいて測定を行う測定装置（１）において、
前記測定チャネルの複数にまたがって一括設定可能な測定パラメータを一つの測定チャネルの設定画面上で識別表示する表示制御手段（６ａ）を備えたことを特徴とする測定装置。
【請求項２】
前記識別表示された測定パラメータの選択操作により、前記測定チャネルの複数にまたがって値を一括設定が可能な測定パラメータのグループであるグルーピング対象に設定または前記グルーピング対象から解除するグルーピング制御手段（６ｂ）を備えたことを特徴とする請求項１記載の測定装置。
【請求項３】
前記識別表示された測定パラメータを前記測定チャネル単位で前記グルーピング対象に設定することを特徴とする請求項１又は２記載の測定装置。
【請求項４】
測定チャネル毎に設定される測定パラメータの設定値に基づいて測定を行う測定装置（１）のパラメータ設定方法において、
前記測定チャネルの複数にまたがって一括設定可能な測定パラメータを一つの測定チャネルの設定画面上で識別表示するステップを含むことを特徴とする測定装置のパラメータ設定方法。
【請求項５】
前記識別表示された測定パラメータの選択操作により、前記測定チャネルの複数にまたがって値を一括設定が可能な測定パラメータのグループであるグルーピング対象に設定または前記グルーピング対象から解除するステップをさらに含むことを特徴とする請求項４記載の測定装置のパラメータ設定方法。
【請求項６】
前記識別表示された測定パラメータを前記測定チャネル単位で前記グルーピング対象に設定するステップをさらに含むことを特徴とする請求項４又は５記載の測定装置のパラメータ設定方法。
【発明の詳細な説明】
【技術分野】
【０００１】
本発明は、測定チャネル毎に設定される測定パラメータの設定値に基づいて所望の測定を行う測定装置及び該装置のパラメータ設定方法に関する。
【背景技術】
【０００２】
近年の各種ディジタル通信装置は、利用者数の増加やマルチメディア通信の普及に伴い、より大容量の伝送能力が求められており、これらのディジタル通信装置におけるディジタル信号の品質評価の指標の一つとして、受信データのうち符号誤りが発生した数と受信データの総数との比として定義されるビット誤り率（以下、誤り率と略称する）が知られている。
【０００３】
そして、上述したディジタル通信装置を被測定物とし、この被測定物の誤り率を測定する場合には、誤り率測定装置が測定装置として用いられる。この誤り率測定装置では、被測定物が電気的なストレスをどの程度許容できるかを測定するため、パターン発生器から既知パターンのテスト信号に電気的なストレスを印可し、このテスト信号を被測定物内部又は外部でループバックし、エラー検出器で受信してテスト信号との比較により、ストレスの印加量に対してエラーの有無を測定するジッタ耐力測定を行っている。
【０００４】
また、この種の誤り率測定装置を含む従来の測定装置として、被測定物の各種試験を行うため、装置本体に備えた複数のスロットに対して着脱可能なモジュール構成とし、測定内容に応じて複数のモジュールの増設、取り外し、組み換えを自由に行い、様々な形態で被測定物の測定を行えるものが知られている。
【０００５】
そして、上述したモジュール構成の測定装置では、それぞれのモジュールが別々の機能を有しており、各モジュールの設定画面には測定チャネル毎に多くの測定パラメータが存在する。例えば誤り率測定装置の場合には、パターン発生モジュール、誤り測定モジュール、クロック発生モジュール、ジッタモジュール、エンファシスモジュール、多重変換モジュール、逆多重変換モジュール等のモジュールの設定画面には測定チャネル毎に多くの測定パラメータが存在する。
【０００６】
ここで、複数の設定画面にまたがって同じ測定パラメータを同じ値に変更したい場合には、設定画面を切り替えながら同じ手順を繰り返す必要があった。例えば１０Ｇｂｉｔ／ｓの信号１０チャネルを多重／逆多重変換する被測定物を評価するとき、パターン発生器とエラー検出器の設定画面それぞれ１０チャネルに対して、同じ手順を１０の設定画面にまたがって同じ測定パラメータを同じ値に変更する場合には、１０×測定パラメータの数だけ同じ手順による設定を繰り返していた。
【０００７】
この問題を解消するため、下記特許文献１に開示される測定パラメータ設定制御装置が知られている。この測定パラメータ設定制御装置では、複数の測定チャネルを備えた被設定機器に既に設定されている複数の測定チャネルの第１の測定パラメータをそれぞれ取得し、いずれか１つの測定チャネルを選択し、選択した測定チャネルに第２の測定パラメータが設定されたとき、選択されなかった他の複数の測定チャネルの第１の測定パラメータを第２の測定パラメータと同じ測定パラメータへ書き換える。また、同じ測定パラメータに書き換える測定チャネルの選択が可能となっている。
【先行技術文献】
【特許文献】
【０００８】
【特許文献１】特開２０１４−０６８１７９号公報
【発明の概要】
【発明が解決しようとする課題】
【０００９】
このように、特許文献１に開示される測定パラメータ設定制御装置では、複数の測定チャネル間で同じ値に書き換え可能な測定パラメータが予め決まっていた。ところが、被測定物によっては、複数のチャネルに対して同じ値を設定したい測定パラメータが異なるが、特許文献１の測定パラメータ設定制御装置では、このような測定パラメータをユーザが任意に選択して設定することができず、ユーザにとって使い勝手が悪かった。しかも、どの測定パラメータが他の測定チャネルとの間で同じ測定パラメータとして設定可能であるかを設定画面から把握することができなかった。
【００１０】
そこで、本発明は上記問題点に鑑みてなされたものであって、ユーザにとって使い勝手の良い測定装置及び該装置のパラメータ設定方法を提供することを目的としている。
【課題を解決するための手段】
【００１１】
上記目的を達成するため、本発明の請求項１に記載された測定装置は、測定チャネル毎に設定される測定パラメータの設定値に基づいて測定を行う測定装置１において、
前記測定チャネルの複数にまたがって一括設定可能な測定パラメータを一つの測定チャネルの設定画面上で識別表示する表示制御手段６ａを備えたことを特徴とする。
【００１２】
請求項２に記載された測定装置は、請求項１の測定装置において、
前記識別表示された測定パラメータの選択操作により、前記測定チャネルの複数にまたがって値を一括設定が可能な測定パラメータのグループであるグルーピング対象に設定または前記グルーピング対象から解除するグルーピング制御手段６ｂを備えたことを特徴とする。
【００１３】
請求項３に記載された測定装置は、請求項１又は２の測定装置において、
前記識別表示された測定パラメータを前記測定チャネル単位で前記グルーピング対象に設定することを特徴とする。
【００１４】
請求項４に記載された測定装置のパラメータ設定方法は、測定チャネル毎に設定される測定パラメータの設定値に基づいて測定を行う測定装置１のパラメータ設定方法において、
前記測定チャネルの複数にまたがって一括設定可能な測定パラメータを一つの測定チャネルの設定画面上で識別表示するステップを含むことを特徴とする。
【００１５】
請求項５に記載された測定装置のパラメータ設定方法は、請求項４の測定装置のパラメータ設定方法において、
前記識別表示された測定パラメータの選択操作により、前記測定チャネルの複数にまたがって値を一括設定が可能な測定パラメータのグループであるグルーピング対象に設定または前記グルーピング対象から解除するステップをさらに含むことを特徴とする。
【００１６】
請求項６に記載された測定装置のパラメータ設定方法は、請求項４又は５の測定装置のパラメータ設定方法において、
前記識別表示された測定パラメータを前記測定チャネル単位で前記グルーピング対象に設定するステップをさらに含むことを特徴とする。
【発明の効果】
【００１７】
本発明によれば、測定チャネルの複数にまたがって一括設定可能な測定パラメータを設定画面上で明確に認識することができる。また、ユーザが一括設定可能な測定パラメータから任意の測定パラメータを選択して設定したり、一括設定可能な測定パラメータを測定チャネル単位で設定することができ、ユーザにとって使い勝手の良い測定装置を提供することができる。
【図面の簡単な説明】
【００１８】
【図１】本発明に係る測定装置のブロック構成図である。
【図２】本発明に係る測定装置の一例を示す誤り率測定装置の外観を示す斜視図である。
【図３】本発明に係る測定装置における設定画面の一例を示す図である。
【発明を実施するための形態】
【００１９】
以下、本発明を実施するための形態について、添付した図面を参照しながら詳細に説明する。
【００２０】
図１に示すように、本実施の形態の測定装置１は、測定チャネル毎に設定される測定パラメータの設定値に基づいて被測定物Ｗの所望の測定を行うものであり、操作部２、測定部３、記憶部４、表示部５、制御部６を備えて概略構成される。
【００２１】
操作部２は、例えば表示部５の表示画面上のポインタやアイコンを操作するマウスやタッチスクリーンなどのポインティングデバイス、装置本体に設けられるキー、スイッチ、ボタンなどを含み、被測定物Ｗの測定開始や停止の指示、測定パラメータの設定を行うモジュールと測定チャネルの指定、設定画面上の測定パラメータの設定／変更／参照などを行う際に操作される。
【００２２】
また、操作部２は、測定チャネルの設定画面における設定項目（例えば図３の設定画面１２の設定項目「Ｏｕｔｐｕｔ」、「Ｐａｔｔｅｒｎ」、「Ｅｒｒｏｒ  Ａｄｄｉｔｉｏｎ」、「Ｐｒｅ−Ｃｏｄｅ」、「Ａｕｘ」、「Ｃｌｏｃｋ」）毎に設けられる一斉設定／解除ボタン２ａ（図３の「Ｇｒｏｕｐｉｎｇ  Ｓｅｔｔｉｎｇ」）を含む。
【００２３】
一斉設定／解除ボタン２ａは、所定の測定チャネルの設定画面（例えば図３の設定画面１２）において、グルーピング対象候補の測定パラメータを一斉にグルーピング対象に設定したり、グルーピング対象に設定されている測定パラメータを一斉にグルーピング対象から解除するときに操作される。
【００２４】
測定部３は、設定された測定パラメータの設定値に基づいて被測定物Ｗの所望の測定を行うものであり、複数のモジュール１１を含む。
【００２５】
複数のモジュール１１は、被測定物Ｗの各種測定を行うためのモジュールである。例えば、測定装置１が誤り率測定装置の場合には、パターン発生モジュール、誤り測定モジュール、クロック発生モジュール、ジッタモジュール、エンファシスモジュール、多重変換モジュール、逆多重変換モジュールなどで複数のモジュール１１が構成される。
【００２６】
複数のモジュール１１は、図２に示す矩形状の筐体からなる装置本体１ａの側面部の開口部１ｂ内に備えた不図示の複数のスロットに対して着脱可能であり、被測定物Ｗの測定内容に応じて必要な数だけ選択して装着される。すなわち、様々な形態で規格に基づく被測定物Ｗの各種測定を行うため、測定内容に応じて選択される複数のモジュール１１の増設、取り外し、組み換えが可能となっている。
【００２７】
複数のモジュール１１は、スロットに装着した状態において、記憶部４や制御部６を実装した制御回路基板（不図示）と電気的に接続される。また、制御回路基板には操作部２や表示部５なども配線接続される。なお、複数のモジュール１１は、製造時に装置本体１ａに一体に組み込まれた構成や装置本体１ａからＵＳＢ等のインターフェースによって制御される外付けの外部モジュールであってもよい。
【００２８】
記憶部４は、所望の測定を行うために必要な測定パラメータの設定値を各モジュールの測定チャネル毎に記憶する。例えば、測定装置１が誤り率測定装置の場合には、パターン信号の振幅、データパターンのビット数やビット列、パターン信号を出力するタイミングなど数多くの測定パラメータが存在する。これらの測定パラメータは、例えば最大値、最小値、デフォルト値、分解能（ステップ量）、グルーピング対象候補の可否を示す情報（識別子としてのマーク「Ｇ」の色情報を含む）、グルーピング対象の設定の有無を示す情報（測定チャネル選択時のグルーピング対象の設定の有無を含む）などを測定チャネル毎にテーブル形式のデータとして記憶部４に記憶する。また、記憶部４は、測定チャネル毎の設定情報を更新記憶するとともに、被測定物Ｗの測定や測定結果に関する各種情報を記憶する。
【００２９】
尚、本例では、複数のモジュール１１の測定チャネルの複数にまたがって同じ設定値で一括設定が可能な測定パラメータのグループをグルーピング対象としている。
【００３０】
表示部５は、例えば、装置本体１ａの前面に装備された液晶表示器などで構成される。表示部５は、操作部２の操作に基づく制御部６の制御により、所定の測定チャネルの設定画面を表示画面上に表示する。例えば、測定装置１が誤り率測定装置の場合、パターン発生モジュールの測定チャネル１の測定パラメータの設定を行うときに、図３に示す設定画面１２を表示画面上に表示する。
【００３１】
制御部６は、所望の測定（例えば被測定物Ｗの誤り率の測定）を行うにあたって、操作部２、測定部３、記憶部４、表示部５を統括制御するものであり、表示制御手段６ａ、グルーピング制御手段６ｂを含んで構成される。
【００３２】
表示制御手段６ａは、操作部２にてモジュールと測定チャネルが選択されると、そのモジュールの測定チャネルの設定画面を表示部５の表示画面上に表示する。例えば、パターン発生モジュール（２８Ｇ／３２Ｇ  ＰＰＧ）の測定チャネル１（Ｄａｔａ１）が選択されると、図３に示す設定画面１２を表示部５の表示画面上に表示する。
【００３３】
また、表示制御手段６ａは、一つの測定チャネルの設定画面を表示するときに、複数の測定パラメータの中から測定チャネルの複数にまたがって一括設定可能な測定パラメータ（設定画面の測定チャネルを含む）をグルーピング対象候補として識別表示する。例えば、図３の設定画面１２に示すように、グルーピング対象候補となる測定パラメータの近傍に識別表示用のアイコン１３を追加表示する。これにより、測定チャネル毎にグルーピング対象候補の測定パラメータを明確に認識することができる。
【００３４】
さらに、表示制御手段６ａは、グルーピング対象候補の測定パラメータのアイコン１３を所定の色（例えば灰色などの目立たない色）で表示し、グルーピング制御手段６ｂにてグルーピング対象に設定された測定パラメータのアイコン１３を、グルーピング対象候補の測定パラメータのアイコン１３とは異なる色（例えば緑色などの目立つ色）で表示する。これにより、グルーピング対象に設定された測定パラメータを、グルーピング対象に設定されていない測定パラメータ（グルーピング対象候補の測定パラメータを含む）と区別して把握することができる。
【００３５】
尚、グルーピング対象に設定された測定パラメータのアイコン１３の色を測定チャネル毎に異なる色（例えば測定チャネル１：青色、測定チャネル２：桃色、測定チャネル３：紫色、測定チャネル４：橙色など）によって識別表示することもできる。
【００３６】
グルーピング制御手段６ｂは、表示制御手段６ａにて識別表示された測定パラメータの選択操作により、グルーピング対象候補の測定パラメータをグルーピング対象に設定したり、グルーピング対象に設定されている測定パラメータをグルーピング対象から解除する。例えば、図３の設定画面１２において、グルーピング対象候補の測定パラメータのアイコン１３をタップ操作して測定パラメータを選択し、選択した測定パラメータをグルーピング対象に設定する。また、グルーピング対象に設定されている測定パラメータのアイコン１３をタップ操作して測定パラメータを選択し、選択した測定パラメータをグルーピング対象から解除する。
【００３７】
次に、上記のように構成される測定装置１を用いたパラメータ設定方法について具体例を示して説明する。ここでは、表示部５の表示画面上にパターン発生モジュール（２８Ｇ／３２Ｇ  ＰＰＧ）の測定チャネル１（Ｄａｔａ１）の設定画面１２を表示させて設定項目「Ｏｕｔｐｕｔ」における測定パラメータの設定を行う場合を例にとって説明する。
【００３８】
測定パラメータの設定を行うモジュールの測定チャネルとして、パターン発生モジュールの測定チャネル１を操作部２の操作により選択すると、図３に示すように、「２８Ｇ／３２Ｇ  ＰＰＧ」（パターン発生モジュールに相当）の「Ｄａｔａ１」（測定チャネル１に相当）の設定画面１２が表示部５の表示画面上に表示される。そして、図３の設定画面１２において、複数の設定項目「Ｏｕｔｐｕｔ」、「Ｐａｔｔｅｒｎ」、「Ｅｒｒｏｒ  Ａｄｄｉｔｉｏｎ」、「Ｐｒｅ−Ｃｏｄｅ」、「Ａｕｘ」、「Ｃｌｏｃｋ」から設定項目「Ｏｕｔｐｕｔ」のタブを選択する。
【００３９】
設定画面１２における設定項目「Ｏｕｔｐｕｔ」が選択されると、測定チャネル１と他の測定チャネルにまたがって一括設定可能な測定パラメータにアイコン１３が追加表示される。図３の設定画面１２では、識別子としてマーク「Ｇ」のアイコン１３が用いられ、測定チャネル１を示す「Ｄａｔａ１」、一斉設定／解除ボタン２ａの「Ｇｒｏｕｐｉｎｇ  Ｓｅｔｔｉｎｇ」、「Ｄａｔａ／ＸＤａｔａ」、「Ｔｒａｃｋｉｎｇ」、「Ｌｅｖｅｌ  Ｇｕａｒｄ」、「Ｄｅｆｉｎｅｄ  Ｉｎｔｅｒｆａｃｅ」、「Ａｍｐｌｉｔｕｄｅ」、「Ｏｆｆｓｅｔ」、「Ｅｘｔｅｒｎａｌ  ＡＴＴ  Ｆａｃｔｏｒ」、「Ｃｒｏｓｓ  Ｐｏｉｎｔ」、「Ｈａｌｆ  Ｐｅｒｉｏｄ  Ｊｉｔｔｅｒ」、「Ｄｅｌａｙ」、「ｍＵＩ」、「Ｊｉｔｔｅｒ  Ｉｎｐｕｔ」をグルーピング対象候補の測定パラメータとして、その右側にアイコン１３を追加表示する。
【００４０】
その際、グルーピング対象候補の測定パラメータと、グルーピング対象に設定された測定パラメータとをアイコン１３の色の違いによって識別表示する。図３において、「Ｅｘｔｅｒｎａｌ  ＡＴＴ  Ｆａｃｔｏｒ」、「Ｃｒｏｓｓ  Ｐｏｉｎｔ」、「Ｈａｌｆ  Ｐｅｒｉｏｄ  Ｊｉｔｔｅｒ」、「ｍＵＩ」、「Ｊｉｔｔｅｒ  Ｉｎｐｕｔ」は、グルーピング対象候補の測定パラメータであり、追加表示された白抜きの「Ｇ」のアイコン１３（１３ａ）が例えば灰色で表示される。また、「Ｄａｔａ１」、「Ｇｒｏｕｐｉｎｇ  Ｓｅｔｔｉｎｇ」、「Ｄａｔａ／ＸＤａｔａ」、「Ｔｒａｃｋｉｎｇ」、「Ｌｅｖｅｌ  Ｇｕａｒｄ」、「Ｄｅｆｉｎｅｄ  Ｉｎｔｅｒｆａｃｅ」、「Ａｍｐｌｉｔｕｄｅ」、「Ｏｆｆｓｅｔ」、「Ｄｅｌａｙ」は、グルーピング対象に設定された測定パラメータであり、追加表示された黒抜きの「Ｇ」のアイコン１３（１３ｂ）が例えば緑色で表示される。
【００４１】
尚、図３の例では、アイコン１３を追加表示することによってグルーピング対象候補の測定パラメータとグルーピング対象に設定された測定パラメータとを識別表示しているが、測定パラメータ自身を色分けして識別表示してもよい。
【００４２】
そして、図３の設定画面１２において、グルーピング対象候補の測定パラメータの中から所望の測定パラメータの白抜きの「Ｇ」のアイコン１３ａを選択すれば、この選択したアイコン１３ａの測定パラメータがグルーピング対象に設定され、黒抜きの「Ｇ」のアイコン１３ｂに表示が切り替わる。
【００４３】
また、図３の設定画面１２において、既にグルーピング対象に設定されている測定パラメータの黒抜きの「Ｇ」のアイコン１３ｂを選択すれば、この選択したアイコン１３ｂの測定パラメータがグルーピング対象から解除され、白抜きの「Ｇ」のアイコン１３ａに表示が切り替わる。
【００４４】
さらに、図３の設定画面１２において、一斉設定／解除ボタン２ａの「Ｇｒｏｕｐｉｎｇ  Ｓｅｔｔｉｎｇ」がグルーピング対象に設定されている状態（黒抜きの「Ｇ」のアイコン１３ｂが表示されている状態）で押下が有効であり、設定項目「Ｏｕｔｐｕｔ」におけるグルーピング対象候補の測定パラメータをグルーピング対象に一斉に設定する一斉設定と、グルーピング対象に設定されている測定パラメータをグルーピング対象から一斉に解除する一斉解除とが一斉設定／解除ボタン２ａを押下する度に切り替えられる。
【００４５】
尚、図３の設定画面１２では、測定パラメータのグルーピング対象の設定／解除をアイコン１３の選択操作により個別に行っているが、グルーピング対象候補の測定パラメータ自身を色分けにより識別表示し、識別表示された測定パラメータを直接選択操作してグルーピング対象の設定／解除を個別に行うようにしてもよい。
【００４６】
このように、本実施の形態によれば、一つの測定チャネルを選択して設定画面を表示して設定を行う際に、測定チャネルの複数にまたがって一括設定可能な測定パラメータにアイコンを追加して識別表示したり、測定パラメータ自身を識別表示するので、測定チャネルの複数にまたがって一括設定可能な測定パラメータを一つの測定チャネルの設定画面上で明確に認識することができる。
【００４７】
そして、一つの測定チャネルの設定画面上で識別表示された測定パラメータを選択操作することにより、測定パラメータを個別にグルーピング対象に設定したり、グルーピング対象から解除することができ、ユーザが一括設定可能な測定パラメータの中から任意の測定パラメータを選択してグルーピング対象に設定することができる。その結果、パラメータを設定する際の作業効率の向上および誤操作の低減が期待でき、ユーザにとって使い勝手の良い測定装置を提供することができる。
【００４８】
また、測定チャネルに追加表示されたアイコンを選択操作することにより、一括設定可能な測定パラメータを測定チャネル単位でグルーピング対象に設定し、測定パラメータの設定を行うことができる。
【００４９】
ところで、上述した実施の形態では、本発明が採用される測定装置として誤り率測定装置を例にとって説明したが、これに限定されるものではない。例えばスペクトラムアナライザなどのように、測定チャネル毎に設定画面が存在する複数のモジュールを備え、測定チャネルの複数にまたがって測定パラメータを一括設定する測定装置に本発明を採用することができる。
【００５０】
以上、本発明に係る測定装置及び該装置のパラメータ設定方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５１】
１  測定装置
１ａ  装置本体
１ｂ  開口部
２  操作部
３  測定部
４  記憶部
５  表示部
６  制御部
６ａ  表示制御手段
６ｂ  グルーピング制御手段
１１  複数のモジュール
１２  設定画面
１３（１３ａ，１３ｂ）  アイコン
Ｗ  被測定物（ＤＵＴ）
【図１】
2018117177.tif 000003
【図２】
2018117177.tif 000004
【図３】
2018117177.tif 000005